(57)【要約】【課題】この発明は、軽量且つ耐久性に優れるアイカップを有するスイミングゴーグルを提供することを課題とする。【解決手段】このスイミングゴーグルは、目を保護するためのアイカップを備えたスイミングゴーグルであって、前記アイカップの周壁の鼻部分領域に鼻ベルトの取り付け用ステイを突設すると共に前記取り付け用ステイは抜け止め用突出部分を有し、前記鼻ベルトは抜け止め用突出部分を有する取り付け用ステイを挿入する孔部を有し、前記孔部に取り付け用ステイを挿入し回動させて抜け止め用突出部分で抜け止め状態とするようにしたことを特徴とする。【選択図】図１
2008043787.tif 000002
【特許請求の範囲】
【請求項１】
目を保護するためのアイカップを備えたスイミングゴーグルであって、前記アイカップの周壁の鼻部分領域に鼻ベルトの取り付け用ステイを突設すると共に前記取り付け用ステイは抜け止め用突出部分を有し、前記鼻ベルトは抜け止め用突出部分を有する取り付け用ステイを挿入する孔部を有し、前記孔部に取り付け用ステイを挿入し回動させて抜け止め用突出部分で抜け止め状態とするようにしたスイミングゴーグル。
【請求項２】
前記孔部に取り付け用ステイを横向きにして挿入し、９０°回動させて抜け止め用突出部分で抜け止め状態とするようにした請求項１に記載のスイミングゴーグル。
【請求項３】
前記鼻ベルトが形状記憶樹脂で形成され、加熱して柔軟とした状態で着用者の顔面に合わせて間隔調節をし、冷却して使用時には硬化せしめる請求項１又は２に記載のスイミングゴーグル。
【請求項４】
前記鼻ベルトは加熱してショアＤ硬度約２５〜３５として間隔調節をし、冷却してショアＤ硬度約７０〜８０として使用するようにした請求項３記載のスイミングゴーグル。
【発明の詳細な説明】
【技術分野】
【０００１】
この発明は、水泳用のスイミングゴーグルに関するものである。（例えば特許文献１）
【背景技術】
【０００２】
従来より、水泳の際にスイミングゴーグルが広く使用されている。
【０００３】
従来のスイミングゴーグルのアイカップ連結装置には、アイカップ自体の周壁の鼻部分領域に、鼻ベルトの凸部を嵌合させるための孔を穿設した構造のものがあった。しかし、前記アイカップの周壁の鼻部分領域に穿設した孔からクラックが発生して経時的に亀裂が進行していくことが考えられ、激しい使用に際しては耐久性に不安が残るという問題があった。
【特許文献１】特開平１１−３３１３９
【発明の開示】
【発明が解決しようとする課題】
【０００４】
よって、軽量且つ耐久性に優れるアイカップを有するスイミングゴーグルが望まれる。
【課題を解決するための手段】
【０００５】
（請求項１記載の発明）
このスイミングゴーグルは、目を保護するためのアイカップを備えたスイミングゴーグルであって、前記アイカップの周壁の鼻部分領域に鼻ベルトの取り付け用ステイを突設すると共に前記取り付け用ステイは抜け止め用突出部分を有し、前記鼻ベルトは抜け止め用突出部分を有する取り付け用ステイを挿入する孔部を有し、前記孔部に取り付け用ステイを挿入し回動させて抜け止め用突出部分で抜け止め状態とするようにしたことを特徴とする。
【０００６】
上記のように構成すると、アイカップ自体の周壁の鼻部分領域には孔が存在せず、アイカップのクラックの発生は抑制され軽量性且つ耐久性に優れ、特に競技用には好適である。またスイミングゴーグルの鼻ベルトの交換が容易で、且つ確実に固定される。さらに、このアイカップと鼻ベルトを成型するための金型の構造もシンプルとすることができる。
（請求項２記載の発明）
このスイミングゴーグルは、請求項１記載の発明に関し、前記孔部に取り付け用ステイを横向きにして挿入し、９０°回動させて抜け止め用突出部分で抜け止め状態とするようにしている。
（請求項３記載の発明）
このスイミングゴーグルは、請求項１又は２記載の発明に関し、前記鼻ベルトが形状記憶樹脂で形成され、加熱して柔軟とした状態で着用者の顔面に合わせて間隔調節をし、冷却して使用時には硬化せしめることを特徴とする。
【０００７】
従来、鼻ベルトの寸法は一般的にＳ、Ｍ、Ｌ、ＸＬで２．０ｍｍピッチとなっている。また山状の段階調節機能付き鼻ベルトは、一般的に５．０ｍｍピッチの調節幅となっている。一方、紐状の鼻ベルトは無段階調節が可能である。しかし、紐状の鼻ベルトは調節が非常に煩わしく、希望する鼻幅に設定するためには紐を結ぶ際に細心の注意を要するという問題があった。よって鼻ベルトとして調節が煩わしい紐状以外のものが望まれる。
【０００８】
ところが上記のように構成すると、形状記憶樹脂により鼻ベルトを無段階で調整を行うことによって顔面装着性の向上を図ることができ、きっちりと調整して止めることができ水の浸入を好適に防止し、スイミングゴーグルの装着感の改良と確実な固定を行うことができる。
（請求項４記載の発明）
このスイミングゴーグルは、請求項３記載の発明に関し、前記鼻ベルトは加熱してショアＤ硬度約２５〜３５として間隔調節をし、冷却してショアＤ硬度約７０〜８０として使用するようにしたことを特徴とする。
【０００９】
このように構成すると、鼻ベルトを加熱して調節をする際にショアＤ硬度約２５〜３５であり手で曲げる際の操作性に優れると共に、使用時にはショアＤ硬度約７０〜８０となるようにしたので頭部にベルトで装着した際にその張力で鼻ベルトが容易に変形することはない。
【００１０】
なお、アイカップに対する顔面へのクッション材は備えてもよく備えなくてもよい。
【発明の効果】
【００１１】
このスイミングゴーグルは、アイカップ自体の周壁の鼻部分領域には孔が存在せず、アイカップのクラックの発生は抑制され軽量性且つ耐久性に優れ、特に競技用には好適である。またスイミングゴーグルの鼻ベルトの交換が容易で、且つ確実に固定される。さらに、このアイカップと鼻ベルトを成型するための金型の構造もシンプルとすることができる。
【発明を実施するための最良の形態】
【００１２】
以下、この発明の実施の形態を、図面を参照して説明する。
【実施例１】
【００１３】
図１乃至図６に示すように、この実施形態のスイミングゴーグルは、目を保護するためのアイカップ１を備えている。
【００１４】
そして、ベルト２により頭部に装着した状態で前記アイカップ１のレンズ部３は、顔面に対して平行から進行方向に向けて傾斜されている。図３、図４及び図６（図示のものは仰向けで背泳ぎの場合を示す）に示すように、前記顔面に対して平行から進行方向に向けて傾斜されたアイカップ１のレンズ部３の角度θ（接眼フランジライン）は、約５〜１５°の範囲に設定することが好ましい。なお前記アイカップ１のレンズ部３の角度θは、この実施例１では約１０°に設定した。
【００１５】
図５に示すように、前記アイカップ１の周壁の鼻部分領域に横方向に鼻ベルト４（硬質エラストマー材料、硬度８０°）の取り付け用ステイ５を突設し、前記取り付け用ステイ５の先端部には抜け止め用突出部分６（バー）を有する。
【００１６】
また前記鼻ベルト４は、抜け止め用突出部分６を有する取り付け用ステイ５を挿入する孔部７を有する。そして、前記孔部７に取り付け用ステイ５を横向きにして挿入し、９０°回動させて抜け止め用突出部分６で抜け止め状態とするようにしている。
【００１７】
前記鼻ベルト４は形状記憶樹脂で形成され、６５℃以上の温水や熱風により加熱して柔軟（ショアＤ硬度２５〜３５）とした状態で着用者の顔面に合わせて寸法調節をし、冷却して使用時には硬化（ショアＤ硬度７０〜８０で固定）せしめるようにしている。この寸法調節は無段階調節である。再び使用者によって寸法調節を行う場合は、再度これを繰り返すことによって何度でも調節が可能となる。
【００１８】
次に、この実施例１のスイミングゴーグルの使用状態を説明する。
【００１９】
図３、図４及び図６に示すように、このスイミングゴーグルでは、頭部に装着した状態で前記アイカップ１のレンズ部３は顔面に対して平行から進行方向に向けて傾斜されたので、水泳時のフォームのようにうつ伏せや仰向け状態で進行方向に対して上目遣いとなった状態で、顔面に対して平行から進行方向に向けて傾斜されたレンズ部３から視界を確保することができ、重要な進行方向の視界に歪みが発生し難く、従来よりも進行方向の視界に優れるスイミングゴーグルを提供することができるという利点がある。
【００２０】
ところで、競泳時は水流抵抗を軽減するためできるだけ全身を一直線にし、水流に対して抵抗が少ない姿勢をとる。頭部についても同様でできるだけ身体部分と一直線になる姿勢をとる方が水流抵抗は少ない。もっとも、上半身の浮力やフォ−ムの関係でむやみやたらに頭部を一直線にする方がよいとは限らないが、このスイミングゴーグルでは頭部の全身への傾けが少ない状態で進行方向の視界確保が容易である。
【００２１】
前記顔面に対して平行から進行方向に向けて傾斜されたアイカップ１のレンズ部３の角度θを約５〜１５°の範囲に設定すると正面視と上目方向との歪みが少なく視界が非常に良好となり、前記角度θを約１０°に設定すると正面視と上目方向との歪みがより少なく相互のバランスが向上して視界が極めて良好となる。
【００２２】
図５に示すように、前記アイカップ１の周壁の鼻部分領域に鼻ベルト４の取り付け用ステイ５を突設し、前記取り付け用ステイ５は抜け止め用突出部分６を有し、前記鼻ベルト４は抜け止め用突出部分６を有する取り付け用ステイ５を挿入する孔部７を有し、前記孔部７に取り付け用ステイ５を挿入し回動させて抜け止め用突出部分６で抜け止め状態とするようにしたので、アイカップ１と鼻ベルト４の構造がシンプルとなり耐久性に優れる。またスイミングゴーグルの鼻ベルト４の交換が容易で、且つ確実に固定される。さらに、このアイカップ１と鼻ベルト４を成型するための金型の構造もシンプルとすることができる。
【００２３】
前記鼻ベルト４は形状記憶樹脂で形成され、加熱して柔軟とした状態で着用者の顔面に合わせて寸法調節をし、冷却して使用時には硬化せしめるようにしたので（冷却後プ−ルで泳ぐ温度では硬化したままの形状を維持する）、形状記憶樹脂により、鼻ベルト４を無段階で調整を行うことによって顔面装着性の向上を図ることができ、きっちりと調整して止めることができ水の浸入を好適に防止し、スイミングゴーグルの装着感の改良と確実な固定を行うことができる。
【００２４】
特に、競泳用のスイミングゴーグルにおいては顔面により確実な固定を行うため軟質緩衝材（クッション材）を取り付けておらず、顔面に沿っていない状態では顔面への圧迫感が増大するため、鼻ベルト４の無段階調整が可能であることは大きな意義がある。
【００２５】
この発明は上述のような構成であり、次の効果を有する。
【００２６】
このスイミングゴーグルは、アイカップ自体の周壁の鼻部分領域には孔が存在せず、アイカップのクラックの発生は抑制され軽量性且つ耐久性に優れ、特に競技用には好適である。またスイミングゴーグルの鼻ベルトの交換が容易で、且つ確実に固定される。さらに、このアイカップと鼻ベルトを成型するための金型の構造もシンプルとすることができる。
【図面の簡単な説明】
【００２７】
【図１】この発明のスイミングゴーグルの実施例１を説明する全体斜視図。
【図２】図１のスイミングゴーグルのアイカップの構造を説明する平面図。
【図３】図１のスイミングゴーグルのアイカップの構造を説明する側面図。
【図４】図１のスイミングゴーグルのアイカップの構造を説明する断面図。
【図５】図１のスイミングゴーグルのアイカップと鼻ベルトの固定の仕方を説明する斜視図。
【図６】図１のスイミングゴーグルの使用状態を説明する図。
【符号の説明】
【００２８】
１  アイカップ
３  レンズ部
４  鼻ベルト
５  取り付け用ステイ
６  抜け止め用突出部分
７  孔部
【図１】
2008043787.tif 000003
【図２】
2008043787.tif 000004
【図３】
2008043787.tif 000005
【図４】
2008043787.tif 000006
【図５】
2008043787.tif 000007
【図６】
2008043787.tif 000008